(57)【要約】【課題】  複数種類のコマンドに係るリスト画面または当該コマンドに対応した処理内容に係るリスト画面を検索する際の操作性を向上させること。【解決手段】  データ書き換え可能なメモリ９には、複数種類の音声コマンドを羅列した音声コマンドリストが記憶されている。制御回路２は、音声認識装置８を通じてヘルプ画面の表示を指令する音声コマンドが入力されたときは、音声コマンドリスト中の音声コマンドを羅列した音声認識ヘルプ画面をスクロール画面として表示する。制御回路２は、音声コマンドの種類毎の入力頻度を示す履歴データをメモリ９に記憶すると共に、その履歴データにより示される入力頻度が高い音声コマンドほど前記音声認識ヘルプ画面での表示順が下位となるように変更する処理を行う。【選択図】  図１
2007052397.tif 000002
【特許請求の範囲】
【請求項１】
種々の処理を実行するためのコマンドの入力に使用される入力手段を備えた操作装置において、
複数種類のコマンドまたは当該コマンドに対応した処理内容を羅列した形態のリスト画面を表示する表示制御手段と、
前記コマンドの種類毎の入力頻度を示す履歴データまたは前記処理内容の種類毎の実行頻度を示す履歴データを記憶する履歴データ記憶手段と、
を備え、
前記表示制御手段は、前記履歴データ記憶手段に記憶された履歴データにより示される入力頻度が高いコマンドまたは実行頻度が高い処理内容ほど前記リスト画面での表示順が下位となるように変更することを特徴とする操作装置。
【請求項２】
前記入力手段としてユーザにより入力される複数種類の音声コマンドを認識可能な音声認識装置を備え、
前記履歴データ記憶手段は、前記音声コマンドの種類毎の入力頻度を示す履歴データを記憶するように構成され、
前記表示制御手段は、前記音声認識装置で認識可能な複数種類の音声コマンドを羅列した形態のリスト画面を表示するように構成されると共に、前記履歴データ記憶手段に記憶された入力頻度が高い音声コマンドほど前記リスト画面での表示順が下位となるように変更することを特徴とする請求項１記載の操作装置。
【請求項３】
種々の処理を実行するためのコマンドの入力に使用される入力手段を備えた操作装置において、
複数種類のコマンドまたは当該コマンドに対応した処理内容を羅列した形態のリスト画面を表示する表示制御手段と、
前記コマンドの種類毎の入力頻度を示す履歴データまたは前記処理内容の種類毎の実行頻度を示す履歴データを記憶する履歴データ記憶手段と、
を備え、
前記表示制御手段は、前記履歴データ記憶手段に記憶された履歴データにより示される入力頻度が予め設定されたしきい値を超えたコマンドまたは実行頻度が予め設定されたしきい値を超えた処理内容を、前記リスト画面から消去する制御を行うことを特徴とする操作装置。
【請求項４】
請求項３記載の操作装置において、
前記表示制御手段は、前記リスト画面から消去した入力頻度または処理内容を羅列した形態の補助リスト画面を選択的に表示可能に構成されていることを特徴とする操作装置。
【請求項５】
請求項３記載の操作装置において、
前記入力手段としてユーザにより入力される複数種類の音声コマンドを認識可能な音声認識装置を備え、
前記履歴データ記憶手段は、前記音声コマンドの種類毎の入力頻度を示す履歴データを記憶するように構成され、
前記表示制御手段は、前記音声認識装置で認識可能な複数種類の音声コマンドを羅列した形態のリスト画面を表示するように構成されると共に、前記履歴データ記憶手段に記憶された入力頻度が予め設定されたしきい値を超えた音声コマンドを、前記リスト画面から消去する制御を行うことを特徴とする操作装置。
【請求項６】
請求項５記載の操作装置において、
前記表示制御手段は、前記リスト画面から消去した音声コマンドを羅列した形態の補助リスト画面を選択的に表示可能に構成されていることを特徴とする操作装置。
【請求項７】
前記リスト画面は、スクロール画面として表示されることを特徴とする請求項１〜６の何れかに記載の操作装置。
【請求項８】
前記履歴データ記憶手段には、前記履歴データが、現在時点から所定期間だけ遡った期間についてのみ記憶されることを特徴とする請求項１ないし７の何れかに記載の操作装置。
【発明の詳細な説明】
【技術分野】
【０００１】
本発明は、種々の処理を実行するためのコマンドの入力に使用される入力手段を備えた操作装置に関する。
【背景技術】
【０００２】
例えばカーナビゲーション装置においては、その操作に係るコマンドの入力を行うための入力手段として、通常の入力装置（操作スイッチ、リモコンなど）の他に音声認識装置を設けることが一般的になりつつある。カーナビゲーション装置の場合、使用可能な音声コマンドの種類が極めて多い（例えば２００〜３００種類程度）という事情があるため、従来では、音声コマンドを一覧表形式で羅列した音声コマンドリストをヘルプ画面として表示することが行われている。具体的には、例えば特許文献１に見られるように、メニュー画面から「音声コマンド一覧」が選択されたときに、複数種類の音声コマンドに係る設定内容の名称（漢字）とその読み方（ひらがな）とを、表示装置上に音声コマンドヘルプ画面として一覧表示することが行われている。
【特許文献１】特開２００３−２９７８０号公報
【発明の開示】
【発明が解決しようとする課題】
【０００３】
カーナビゲーション装置用の表示装置上で上述のような一覧表形式の音声コマンドヘルプ画面を表示する場合、音声コマンドの種類が極めて多いのに対して、これを表示する表示装置の表示エリアには限界があるため、全部を表示することは不可能である。このため、音声コマンドヘルプ画面の表示に際しては、スクロール画面で表示することになる。しかしながら、このような表示では、ユーザが目的とする音声コマンドを検索する際に画面スクロール操作を行わねばならず、その操作が煩雑になるという課題がある。特に、過去に使用した音声コマンドについては、ユーザ側の習熟度の向上に伴い音声コマンドを再確認する必要がなくなるケース、つまり、当該音声コマンドの検索が不要になるケース（必要度が低くなるケースを含む概念である）も多々発生すると考えられるが、従来の音声コマンドヘルプ画面では、音声コマンドの表示順が変更されることがないため、検索が不要な音声コマンドの存在が、画面スクロール操作を一段と煩雑にする原因になるなど、その操作性の悪化を来たすという問題点があった。勿論、音声コマンドヘルプ画面がスクロール画面でない場合においても、不要な音声コマンドが当該ヘルプ画面の上位に表示された状態では、音声コマンドを検索する際の操作性が悪化するという事情が存在する。
【０００４】
また、このような音声コマンドヘルプ画面を表示する場合に限らず、ユーザにより入力されたコマンドに基づいて種々の処理を実行する操作装置において、実行対象である複数の処理内容を羅列した形態のリスト画面（つまり、実行対象の処理内容の選択操作に供される画面）を表示する場合には、例えば、その処理内容が、機器の操作方法の学習機能やガイド機能であったときには、ユーザ側の習熟度の向上に伴い、上記処理内容を実行する必要がなくなるケースが発生するため、上述と同様の問題が発生することになる。
【０００５】
本発明は上記事情に鑑みてなされたものであり、その目的は、複数種類のコマンドに係るリスト画面または当該コマンドに対応した処理内容に係るリスト画面を検索する際の操作性を向上させ得るようになる操作装置を提供することにある。
【課題を解決するための手段】
【０００６】
請求項１記載の発明によれば、表示制御手段によって、複数種類のコマンドまたは当該コマンドに対応した処理内容を羅列した形態のリスト画面が表示されるから、ユーザ側では、このように表示された画面に基づいて、コマンドの検索または実行対象の処理内容の検索を行うことができる。ユーザによりコマンドが入力された場合または当該コマンドに対応した処理が実行された場合には、履歴データ記憶手段が、そのコマンドの種類毎の入力頻度を示す履歴データまたは前記処理内容の種類毎の実行頻度を示す履歴データを記憶するようになる。このような履歴データが記憶された状態では、前記表示制御手段が、前記リスト画面でのコマンドまたは処理内容の表示順を、当該履歴データにより示される入力頻度が高いコマンドまたは実行頻度が高い処理内容ほど下位となるように変更するようになる。
【０００７】
つまり、ユーザが過去に入力した頻度が高いコマンドまたはユーザが過去に実行させた頻度が高い処理内容ほどリスト画面での表示順が下位となる。この結果、ユーザ側の習熟度の向上に伴い不要（或いは必要が低い状態）になるコマンドまたは処理内容（特には、機器の操作方法の学習機能やガイド機能のようにユーザ側の習熟度の向上により実行機会が減ると考えられる処理内容）が下位となるから、リスト画面上でのコマンドまたは処理内容の検索時に、その操作が容易になるなど、操作性の向上を実現できるようになる。
【０００８】
請求項２記載の発明によれば、表示制御手段によって、音声認識装置で認識可能な複数種類の音声コマンドを羅列した形態のリスト画面が表示されるから、ユーザ側では、このように表示された画面に基づいて音声コマンドの検索を行うことができる。一方、検索された音声コマンドがユーザにより入力された場合には、履歴データ記憶手段が、その音声コマンドの種類毎の入力頻度を示す履歴データを記憶するようになる。このような履歴データが記憶された状態では、前記表示制御手段が、前記リスト画面での音声コマンドの表示順を、当該履歴データにより示される入力頻度が高い音声コマンドほど下位となるように変更するようになる。
【０００９】
つまり、ユーザが過去に入力した頻度が高い音声コマンドほどリスト画面での表示順が下位となる。この結果、ユーザ側の習熟度の向上に伴い不要になる音声コマンドが下位となるから、リスト画面上での音声コマンドの検索時に、その操作が容易になるなど、操作性の向上を実現できるようになる。
【００１０】
請求項３記載の発明によれば、ユーザが過去に入力した頻度が予め設定されたしきい値を超えたコマンドまたは処理内容（ユーザ側の習熟度の向上に伴い不要（或いは必要が低い状態）になるコマンドまたは処理内容）については、リスト画面から消去されるようになる。つまり、リスト画面上には、ユーザ側の習熟度がまだ低い状態のコマンドまたは処理内容のみが表示されるようになって、そのリスト画面が簡潔な表示形態になるから、リスト画面上でのコマンドまたは処理内容の検索時に、その操作が容易になるなど、操作性の向上を実現できるようになる。
【００１１】
請求項４記載の発明によれば、リスト画面から消去されたコマンドまたは処理内容を、補助リスト画面として選択的に表示できるから、ユーザ側では、それらのコマンドまたは処理内容を再確認することも可能になり、実際の使用上においてきわめて便利になる。
【００１２】
請求項５記載の発明によれば、表示制御手段によって、音声認識装置で認識可能な複数種類の音声コマンドを羅列した形態のリスト画面が表示されるから、ユーザ側では、このように表示された画面に基づいて音声コマンドの検索を行うことができる。一方、検索された音声コマンドがユーザにより入力された場合には、履歴データ記憶手段が、その音声コマンドの種類毎の入力頻度を示す履歴データを記憶するようになる。このような履歴データが記憶された状態では、前記表示制御手段が、入力頻度が予め設定されたしきい値を超えた音声コマンドをリスト画面から消去するようになる。この結果、リスト画面上には、ユーザ側の習熟度がまだ低い状態の音声コマンドのみが表示されるようになって、そのリスト画面が簡潔な表示形態になるから、リスト画面上での音声コマンドの検索時に、その操作が容易になるなど、操作性の向上を実現できるようになる。
【００１３】
請求項６記載の発明によれば、リスト画面から消去された音声コマンドを、補助リスト画面として選択的に表示できるから、ユーザ側では、その音声コマンドを再確認することも可能になり、実際の使用上においてきわめて便利になる。
【００１４】
請求項７記載の発明によれば、スクロール画面として表示されたリスト画面を検索する際に、ユーザ側の習熟度の向上に伴い不要になるコマンド（音声コマンド）または処理内容が当該リスト画面上で下位に表示されることになるから、そのリスト画面のスクロール操作が容易になる。
【００１５】
請求項８記載の発明によれば、前記履歴データ記憶手段には、前記履歴データが、現在時点から所定期間だけ遡った期間についてのみ記憶される構成、換言すれば、現在時点から所定期間だけ遡った時点以前におけるコマンド（或いは音声コマンド）の種類毎の入力頻度または処理内容の種類毎の実行頻度が履歴データから除外される構成となっているから、ユーザ側の習熟度が時間の経過により低下するような状況も考慮した適正なリスト画面を表示可能になる。
【発明を実施するための最良の形態】
【００１６】
（第１の実施の形態）
以下、本発明による操作装置をカーナビゲーション装置に適用した一実施例について図面を参照しながら説明する。
図１には、全体の電気的構成が機能ブロックの組み合わせにより概略的に示されている。この図１において、カーナビゲーション装置１は、そのナビゲーション動作を制御する機能を有した制御回路２（表示制御手段に相当）に対して、位置検出器３、地図データベース４、表示装置５、操作スイッチ群６（入力手段に相当）、音声出力装置７、音声認識装置８（入力手段に相当）、メモリ９（履歴データ記憶手段に相当）、ＶＩＣＳ受信機１０（ＶＩＣＳは登録商標）などを接続して構成されている。
【００１７】
制御回路２は、ＣＰＵ、ＲＯＭ、ＲＡＭ、Ｉ／Ｏインタフェース及びこれらを接続するバスラインなど（何れも図示せず）を備えたマイクロコンピュータにより構成されている。これらのうち、ＲＯＭには、カーナビゲーション用のプログラムなどが格納され、ＲＡＭにはプログラム実行時の処理データの他に地図データベース４から取得した道路地図データやＶＩＣＳ受信機１０が受信した道路交通情報などが一時的に格納される。
位置検出器３は、例えば、地磁気センサ１１、ジャイロセンサ１２、車速センサ１３及びＧＰＳ受信機１４などを含んで構成されており、車両の現在位置情報を算出する部分である。
【００１８】
地図データベース４は、ＣＤ−ＲＯＭやＤＶＤ−ＲＯＭ或いはハードディスクのような大容量の情報記録媒体を利用して構成されたものであり、地図表示のための地図描画用データ、マップマッチングや経路探索、経路誘導などの種々の処理に必要な道路データ、交差点の詳細データから成る交差点データ、背景レイヤのための背景データ、地名などを表示するための地名データの他に、施設名称を例えば５０音順に並べた施設名称データベース、電話番号と施設の対応を示す電話番号データベースなど、多様な地図データが記憶されている。
【００１９】
表示装置５は、地図画面などを表示するための例えばカラー液晶ディスプレイを含んで構成されており、車両の運転席近傍に設置される。この表示装置５の画面には、通常時において縮尺を複数段階に変更可能な道路地図が表示されると共に、その表示に重ね合わせて、車両の現在位置及び進行方向を示すポインタが表示されるようになっている。また、目的地までの経路探索結果に基づいた経路案内機能の実行時には、道路地図に重ね合わせた状態で進むべき案内ルートが表示されるようになっている。さらに、ユーザによる目的地などの検索及び入力のための各種のメニュー画面及び入力画面、並びに各種のメッセージ・インフォメーションやヘルプ画面なども表示されるようになっている。
【００２０】
操作スイッチ群６は、表示装置５の周辺に配置されたメカニカルスイッチや当該表示装置５のディスプレイ上に形成されたタッチパネルスイッチなどから成り、各種のデータや設定事項などの操作に係るコマンドを制御回路２に与えるために設けられている。また、音声出力装置７は、音声合成回路、アンプ、スピーカなどを備えたもので、制御回路２からの音声情報に応じた音声出力を発生する構成となっている。
【００２１】
音声認識装置８は、マイクロホン、このマイクロホンによる音声入力をデジタルデータに変換する音声抽出部、音声認識用の比較パターン候補辞書を含んで成る音声認識部など（何れも図示せず）を備えたもので、ユーザが発した音声を認識した結果を制御回路２に与える構成となっている。
メモリ９は、フラッシュメモリなどのデータ書き換え可能な不揮発性メモリより構成されたもので、本発明の要旨に関係した音声コマンドの入力頻度を示す履歴データや、その他の特定データの保存や呼出などを行ったりするために設けられている。
ＶＩＣＳ受信機１０は、ＶＩＣＳセンサユニットやＦＭ多重放送受信機（何れも図示せず）などを備えたもので、例えばＶＩＣＳセンサユニットがＶＩＣＳ局から受信した光／電波ビーコンなどによる道路交通情報やＦＭ多重放送受信機が受信したＦＭ多重放送からの道路交通情報を制御回路２に与える構成となっている。
【００２２】
制御回路２は、操作スイッチ群６を通じて入力されたコマンドや音声認識装置８を通じて入力された音声コマンドに基づいて、周知の地図表示機能、経路計算機能、経路案内機能、電話番号検索機能、郵便番号検索機能、マップコード（登録商標）のような固有コードを利用した検索機能、５０音検索機能、ジャンル別検索機能、最寄り施設検索機能、目的地登録機能、地点登録機能など、多種多様な支援機能に係る処理を実行するように構成されているが、本発明の要旨に直接的に関係した機能として、ユーザに対して音声コマンドの種類を知らせるための音声認識ヘルプ画面（リスト画面に相当）の表示機能が設定されている。
【００２３】
そこで、以下においては、この音声認識ヘルプ画面の表示機能について説明する。
即ち、図２には、音声認識ヘルプ画面の操作に係るフローチャートが示されている。この図２において、ユーザが音声コマンドを使用、つまり、音声認識装置８のマイクロホンに向けて音声コマンドを発話すると（ステップＳ１）、制御回路２は、前記メモリ９に保存されている音声コマンドに関する入力頻度の履歴データのうち、入力された音声コマンドの使用頻度（入力頻度に相当）をインクリメントする（ステップＳ２）。
【００２４】
ここで、図３には、前記メモリ９に保存されている履歴データのフォーマット例が示されている。即ち、図３に示すように、履歴データは、音声認識装置８を通じて音声コマンドが入力された頻度、つまり音声コマンドの使用頻度を、当該音声コマンドの種類毎に区分した状態（図３において、１〜Ｎ（Ｎは自然数）は通し番号）で整理した形態となっており、その入力頻度は、デフォルト状態では図３（ａ）に示すように全ての音声コマンドが「０」であるが、前記ステップＳ２の実行に伴い、同図３（ｂ）に一例を示すようにインクリメントされることになる。
【００２５】
図２に戻って、制御回路２は、ステップＳ２の実行後には、ユーザが「ヘルプ」（或いは「ヘルプ画面」など）と発話したか否かを判断し（ステップＳ３）、「ＮＯ」の場合には初期状態へ戻る。これに対して、制御回路２は、ステップＳ３で「ＹＥＳ」と判断した場合には、図４（ｂ）に一例を示すような音声コマンドリストを、表示装置５に対し同図（ａ）に示すような音声認識ヘルプ画面として表示する（ステップＳ４）。
【００２６】
この場合、上記音声コマンドリストは、例えばメモリ９に記憶されるものであり、１〜Ｎ（Ｎは自然数）のアドレスに対応付けた状態でＮ個の音声コマンドを配列した形態となっている。尚、図４（ｂ）の音声コマンドリストは、デフォルト状態での配列を示すものである。また、図４（ａ）の音声認識ヘルプ画面は、上段が同じくデフォルト状態での表示例を示し、下段が画面スクロール操作を行った状態での表示例を示すものであり、図４中に破線で関連付けて示すように、音声コマンドリスト中の所定個数の音声コマンドのみが表示される形態となっている。この場合、音声認識ヘルプ画面は、スクロールバーａ及びスクロールボタンｂを備えたスクロール画面として表示されるものであり、その画面スクロール操作は、操作スイッチ群６のタッチパネルスイッチを通じて行い得る構成となっている。
【００２７】
上記のような音声認識ヘルプ画面の表示状態において、ユーザが目的の音声コマンドを検索する際には、前記画面スクロール操作を行うものであり（ステップＳ５）、これに応じて、制御回路２が、音声認識ヘルプ画面をスクロールするようになる（ステップＳ６）。
【００２８】
この後には、ユーザが目的の音声コマンドを確認後に、音声認識ヘルプ画面の表示状態から抜け出るための操作を行うものであり（ステップＳ７）、制御回路２は、その操作に応じた処理を実行して、音声認識画面を当該処理の内容に応じた画面に切り換える（ステップＳ８）。これに応じて、音声認識ヘルプ画面に係る一連の操作及びこれに関連した制御回路２による表示制御が終了する。尚、音声認識ヘルプ画面の表示状態から抜け出るための操作としては、例えば、操作スイッチ群６を構成する「戻る」スイッチの操作（或いは当該音声認識ヘルプ画面上にタッチパネルスイッチを利用して表示された「戻る」ボタンの操作）、音声認識ヘルプ画面で検索した音声コマンドのマイクロホンを通じた入力操作（つまり、当該音声コマンドに対応した処理の実行）などが考えられる。
【００２９】
一方、制御回路２は、図３に示した内容の履歴データに基づいて前記音声コマンドリストにおける音声コマンドの配列を変更する構成となっている。具体的には、当該音声コマンドの配列を、上記履歴データにより示される入力頻度が高い音声コマンドほど下位のアドレスとなるように変更するものであり、図５（ｂ）には、その変更後の音声コマンドリストの一例が示されている。尚、同じ入力頻度の音声コマンドにあっては、例えば、入力時期が新しい音声コマンドほど下位とのアドレスとなるように変更される。
【００３０】
従って、このようなコマンドリストの変更に応じて、入力頻度が高い音声認識コマンドほど前記音声認識ヘルプ画面での表示順が下位となるように変更されるものであり、図５（ａ）には、その変更後の音声認識ヘルプ画面の一例（上段が画面スクロール操作前の表示例、下段が画面スクロール操作後の表示例）が示されている。
【００３１】
要するに、上記した本実施例の構成によれば、ユーザが音声認識装置８のマイクロホンに対して、音声認識ヘルプ画面表示用の音声（「ヘルプ」或いは「ヘルプ画面」など）を発話すると、制御回路２は、表示装置５において、複数種類の音声コマンドを羅列した形態の音声認識ヘルプ画面をスクロール画面として表示させるようになるから、ユーザ側では、このように表示されたヘルプ画面のスクロール操作に基づいて、全部の音声コマンドの検索を行うことができる。そして、ユーザにより音声コマンドが実際に入力された場合には、制御回路２は、その音声コマンドの種類毎の入力頻度を示す履歴データ（図３参照）をメモリ９に記憶するようになる。このように履歴データが記憶された状態では、制御回路２が、前記音声認識ヘルプ画面での音声コマンドの表示順を、当該履歴データにより示される入力頻度が高い音声コマンドほど下位となるように変更するようになる。
【００３２】
つまり、ユーザが過去に入力した頻度が高い音声コマンドほど音声認識ヘルプ画面（スクロール画面）での表示順が下位となる。この結果、ユーザ側の習熟度の向上に伴い不要（或いは必要が低い状態）になる音声コマンドが下位となるから、音声認識ヘルプ画面上での音声コマンドの検索時に、その画面スクロール操作が容易になるなど、操作性の向上を実現できるようになる。
【００３３】
（第２の実施の形態）
図６及び図７には本発明の第２実施例が示されており、以下これについて前記第１実施例と異なる部分のみ説明する。
即ち、制御回路２は、表示装置５に音声コマンドリスト画面を表示する際に、メモリ９に記憶された履歴データ（図３参照）において、使用頻度が予め設定されたしきい値を超えた音声コマンドについては、音声コマンドリストから消去する制御を行うようになっている。具体的には、上記しきい値が例えば「１」に設定されていた場合には、図３の履歴データにおいて、使用頻度が「２」以上の音声コマンドである「現在地」、「２Ｄ」、「２Ｄツイン」、「へディングアップ」が、図６（ｂ）に示すように音声コマンドリストから除去され、これにより同図６（ａ）に示すような音声認識ヘルプ画面が表示される。この結果、当該音声認識ヘルプ画面上では、使用頻度が「２」以上の音声コマンドについては消去された形態とされ、その表示が行われない。
【００３４】
また、制御回路２は、音声認識ヘルプ画面から消去した音声コマンドについては、それら音声コマンドを羅列した形態の図７に示すような補助リスト画面を、表示装置５上で選択的に表示する制御を実行可能な構成となっている。尚、制御回路２は、使用頻度がしきい値を超えた音声コマンドが除去された状態の音声コマンドリストの配列を、前記第１実施例の場合と同様に履歴データにより示される使用頻度が高い音声コマンド（本実施例の場合は使用頻度が「１」のコマンド）ほど下位のアドレスとなるように変更する処理を行うことが望ましい。
【００３５】
要するに、上記した第２実施例の構成によれば、ユーザが過去に入力した頻度が予め設定されたしきい値を超えた音声コマンドについては、音声認識ヘルプ画面から消去されるようになる。つまり、音声認識ヘルプ画面上には、ユーザ側の習熟度がまだ低い状態の音声コマンドのみが表示されるようになって、その音声認識ヘルプ画面が簡潔な表示形態になるから、音声認識ヘルプ画面上での音声コマンドの検索時に、その操作が容易になるなど、操作性の向上を実現できるようになる。また、音声認識ヘルプ画面から消去された音声コマンドについては、表示装置５上で補助リスト画面（図７参照）として選択的に表示できるから、ユーザ側では、それらの音声コマンドを再確認することも可能になり、実際の使用上においてきわめて便利になる。
【００３６】
（その他の実施の形態）
本発明は上記した実施例に限定されるものではなく、例えば以下のような変形または拡張が可能である。
制御回路２は、音声認識装置８を通じて音声コマンドが入力された頻度を示す履歴データを、現在時点から所定期間（例えば６ヶ月〜１年程度）だけ遡った期間についてのみ記憶する構成であっても良い。この構成によれば、現在時点から所定期間だけ遡った時点以前における音声コマンドの種類毎の入力頻度が履歴データから除外されることになるから、ユーザ側の習熟度が時間の経過により低下するような状況も考慮した適正な音声認識ヘルプ画面を表示可能になる。
【００３７】
また、このような音声コマンドリストに対応した音声認識ヘルプ画面を表示する場合に限らず、ユーザにより入力されたコマンド（或いは音声コマンド）に基づいて、機器の操作方法の学習機能やガイド機能のようにユーザ側の習熟度の向上により実行機会が減ると考えられる種々の処理を実行する構成の装置において、実行対象である複数の処理内容を羅列した形態のリスト画面（つまり、実行対象の処理内容の選択操作に供される画面）をヘルプ画面として表示する場合にも適用できる。
上記実施例では、音声認識ヘルプ画面をスクロール画面として表示する構成としたが、このようなスクロール画面は、本発明の必須の要件ではなく、音声認識ヘルプ画面は、音声コマンドを単純に羅列した形態のであっても良いものである。
【図面の簡単な説明】
【００３８】
【図１】本発明の第１実施例の電気的構成を示す機能ブロック図
【図２】制御回路による制御例を示すフローチャート
【図３】履歴データのフォーマット例を示す図
【図４】音声認識ヘルプ画面の表示例及び音声コマンドリストの一例を示す図（その１）
【図５】音声認識ヘルプ画面の表示例及び音声コマンドリストの一例を示す図（その２）
【図６】本発明の第２実施例を示す図５相当図
【図７】補助リスト画面の一例を示す図
【符号の説明】
【００３９】
１はカーナビゲーション装置、２は制御回路（表示制御手段）、５は表示装置、６は操作スイッチ群（入力手段）、８は音声認識装置（入力手段）、９はメモリ（履歴データ記憶手段）を示す。
【図１】
2007052397.tif 000003
【図２】
2007052397.tif 000004
【図３】
2007052397.tif 000005
【図４】
2007052397.tif 000006
【図５】
2007052397.tif 000007
【図６】
2007052397.tif 000008
【図７】
2007052397.tif 000009